(57)【要約】  マッサージ器１１は、把持可能な本体と、該本体に回転可能に支持された少なくとも３つの回転体と、該回転体と上記本体とをそれぞれ繋ぐ軸とを備え、前記回転体のうち少なくとも２個の回転体の表面が導電体によって形成されている。マッサージ器１１には、２個の回転体の導電体間に電位差を与える給電装置が設けられている。
2014189096.tif 000002
【特許請求の範囲】
【請求項１】
把持可能な本体と、該本体に回転可能に支持された少なくとも３つの回転体と、該回転体と前記本体とをそれぞれ繋ぐ軸とを備え、前記回転体のうち少なくとも２個の前記回転体の表面は導電体からなり、該導電体間に電位差を与える給電装置を設けたマッサージ器。
【請求項２】
前記軸のうち隣り合う一対の前記軸がその延長線上で交差する請求項１に記載のマッサージ器。
【請求項３】
前記回転体は４個備えられるとともに長四角形の頂点上にそれぞれ位置している請求項１または２に記載のマッサージ器。
【請求項４】
前記給電装置は、前記長四角形の長辺の両端において対向する前記回転体の前記導電体間に電位差を与える請求項３に記載のマッサージ器。
【請求項５】
前記給電装置は、前記回転体のうち前記長四角形の対角線上において互いに対向する前記回転体の前記導電体間に電位差を与える請求項３に記載のマッサージ器。
【請求項６】
前記給電装置は、前記回転体の前記導電体間の電気抵抗を検出する検出部と、該検出部によって検出された電気抵抗が所定値以下の場合に前記導電体間の電位差を下げる調整部と、を備えた請求項１〜５のうちのいずれか一項に記載のマッサージ器。
【請求項７】
前記回転体を球状体によって構成した請求項１〜６のうちのいずれか一項に記載のマッサージ器。
【請求項８】
前記本体が水没したことを検出して水没信号を出力する水没検出部と、該水没検出部から水没信号が入力されると前記給電装置の駆動を制御する給電装置制御部と、を備える請求項１〜７のうちのいずれか一項に記載のマッサージ器。
【発明の詳細な説明】
【技術分野】
【０００１】
この発明は、電気的刺激によりマッサージ効果を得るようにしたマッサージ器に関するものである。
【背景技術】
【０００２】
従来、この種のマッサージ器としては、例えば特許文献１及び特許文献２に開示されるような構成が提案されている。
特許文献１に記載の従来構成においては、顔面等の肌に付着可能なパッドに一対の電極が設けられている。両電極には、導線を介して刺激発生装置が接続されている。そして、パッドが顔面等の肌に付着された状態で、刺激発生装置から両電極にパルス信号が付与されることにより、肌に電気的刺激が与えられて、血液循環が促進されるようになっている。【０００３】
また、特許文献２に記載の従来構成においては、ケースに２本のローラが間隔をおいて平行に延びる軸線を中心に回転可能に支持されている。各ローラの両端には、一対の電極ローラ部が中間の絶縁ローラ部を介して設けられている。両ローラ間において対向する電極ローラ部には、一対の無端導電シートが巻回されている。そして、両無端導電シートが肌に接触された状態で周回移動されながら、両無端導電シートに電極ローラ部を介して正及び負の異なった電位が付与される。これにより、両無端導電シート間において肌に電流が流れて、肌に電気的刺激が与えられるようになっている。
【先行技術文献】
【特許文献】
【０００４】
【特許文献１】特開２００５−２４５５８５号公報
【特許文献２】特開平１１−１６４８９５号公報
【発明の概要】
【発明が解決しようとする課題】
【０００５】
ところが、これらの従来構成においては、次のような問題があった。
特許文献１に記載の従来構成では、電気的刺激による血液循環の促進等の効果は得ることができるが、肌を押圧したり摘まみ上げたりする、いわゆる揉みほぐしによるマッサージ効果は全く期待することができない。【０００６】
また、特許文献２に記載の従来構成では、一対の無端導電シートが肌に接触して周回されながら、両無端導電シート間で肌に電流が流れて、電気的刺激が与えられる。このため、特許文献１に記載の構成と比較すれば、無端導電シートの接触により肌を押圧する作用は多少あるとしても、揉みほぐしによる良好なマッサージ効果はほとんど期待することができない。【０００７】
この発明は、このような従来の技術に存在する問題点に着目してなされたものである。
その目的は、肌及び筋肉の揉みほぐしと同時に電気的刺激を与えることができて、良好なマッサージ効果を得ることができるマッサージ器を提供することにある。
【課題を解決するための手段】
【０００８】
上記の目的を達成するために、このマッサージ器は、把持可能な本体と、該本体に回転可能に支持された少なくとも３つの回転体と、該回転体と前記本体とをそれぞれ繋ぐ軸とを備え、前記回転体のうち少なくとも２個の前記回転体の表面は導電体からなり、該導電体間に電位差を与える給電装置を設けたことを特徴としている。【０００９】
従って、このマッサージ器においては、回転体を肌に接触させて回転させると、回転体により肌が押圧されたり摘まみ上げられたりして揉みほぐされる。このとき、給電装置から複数の回転体の導電体間に電位差が与えられ、その導電体間の肌及び筋肉に電流が流れて、肌及び筋肉に電気的刺激が与えられる。よって、その電気的刺激と前記揉みほぐしとの協働作用により、良好なマッサージ効果を得ることができる。
【発明の効果】
【００１０】
前記のマッサージ器によれば、肌及び筋肉の揉みほぐしと同時に電気的刺激を与えることができて、良好なマッサージ効果を得ることができるという効果を発揮する。
【図面の簡単な説明】
【００１１】
【図１】第１実施形態のマッサージ器を示す斜視図。
【図２】図１のマッサージ器を底面側から見て示す斜視図。
【図３】同マッサージ器の平面図。
【図４】（ａ）及び（ｂ）は同マッサージ器の異なった作用状態を示す正面図。
【図５】（ａ）及び（ｂ）は同マッサージ器の異なった作用状態を示す側面図。
【図６】図５（ａ）のVI−VI線位置断面。
【図７】図５（ａ）のVII−VII線位置断面。
【図８】図３の６−６線における拡大断面図。
【図９】図１のマッサージ器の回路構成を示すブロック図。
【図１０】第２実施形態のマッサージ器を示す平面図。
【図１１】図１０のマッサージ器の正面図。
【図１２】同マッサージ器の回路構成を示すブロック図。
【図１３】第３実施形態のマッサージ器を示す斜視図。
【図１４】図１３のマッサージ器を底面側から見た図。
【図１５】第３実施形態におけるマッサージ器の分解斜視図。
【図１６】第３実施形態における、本体上側部および上面カバーを取り外した状態での図１４におけるXVI−XVI線位置断面図。
【図１７】第３実施形態における回転体の分解斜視図。
【図１８】第３実施形態における回転体の断面。
【図１９】第３実施形態における回路構成を示すブロック図。
【図２０】第４実施形態におけるマッサージ器の斜視図。
【図２１】図２０のマッサージ器を下面側から見た図。
【図２２】第４実施形態におけるマッサージ器の分解斜視図。
【図２３】第４実施形態における、本体上側部および上面カバーを取り外した状態での図２１におけるXXIII−XXIII線位置断面図。
【図２４】第４実施形態における回転体の分解斜視図。
【図２５】第４実施形態における回転体の断面。
【図２６】第４実施形態におけるマッサージ器の側面図。
【図２７】図２６におけるXXVII-XXVII線位置断面図。
【図２８】第４実施形態における回路構成を示すブロック図。
【図２９】第４実施形態におけるマッサージ器の制御態様を表すフロー図。
【図３０】第４実施形態における回転体の回転態様を表す側面図。
【図３１】変形例における回転体の一部拡大図。
【図３２】第５実施形態における回路構成を示すブロック図。
【図３３】第５実施形態におけるマッサージ器の制御態様を表すフロー図。
【図３４】第６実施形態における回路構成を示すブロック図。
【図３５】第６実施形態におけるマッサージ器の制御態様を表すフロー図。
【図３６】第７実施形態におけるマッサージ器の上面図。
【図３７】第７実施形態におけるマッサージ器の下面図。
【図３８】参考例におけるマッサージ器の斜視図。
【図３９】参考例におけるマッサージ器の下面図。
【発明を実施するための形態】
【００１２】
（第１実施形態）
以下、マッサージ器の第１実施形態を図１〜図９に従って説明する。
図１及び図２に示すように、この実施形態のマッサージ器１１は、把持可能な本体１２と、本体１２に回転可能に支持された少なくとも３つの回転体１７、１８、１９、２０と、回転体１７〜２０と本体１２とをそれぞれ繋ぐ軸（支持軸１３，１４，１５，１６）とを備える。回転体１７、１８、１９、２０のうち少なくとも２個の回転体１７、１８、１９、２０の表面は導電体（導電メッキ）からなる。そして、マッサージ器１１には、回転体１７、１８、１９、２０の導電体（導電メッキ）間に電位差を与える給電装置３３（図９参照）を設けられている。
【００１３】
以下、マッサージ器１１について詳述する。図１及び図２に示すように、この実施形態のマッサージ器１１は、合成樹脂よりなる本体１２を備えている。本体１２の一側面の４箇所の隅角部には、４本の脚部１２１が形成されている。各脚部１２１には、２対４本の支持軸１３，１４，１５，１６が同方向側に向かって突設されている。各支持軸各１３〜１６は、長四角形の頂点部に位置している。支持軸１３〜１６は、円錐面上において本体１２の下部外方に向かって先広がりの傾斜状、つまり放射状に延びる軸線上に位置するように配列されている。
【００１４】
図２、図４（ａ）及び図５（ａ）に示すように、各対の支持軸１３，１４及び支持軸１５，１６においては、それらの軸線間隔Ｌ１が同一となるように構成されている。また、対間の支持軸１３，１５及び支持軸１４，１６においても、それらの軸線間隔Ｌ２が同一となるように構成されている。そして、対間の支持軸１３，１５及び支持軸１４，１６における軸線間隔Ｌ２が、各対の支持軸１３，１４及び支持軸１５，１６における軸線間隔Ｌ１よりも大きくなるように構成されている。
【００１５】
図６に示すように、支持軸１３及び支持軸１４に平行な断面において、支持軸１３と支持軸１４とのなす角αは６０°〜８０°であることが好ましく、７０°であることがより好ましい。また、図７に示すように、支持軸１５及び支持軸１６に平行な断面において、支持軸１５と支持軸１６とのなす角も支持軸１３と支持軸１４とのなす角αと同一である。また、図５（ａ）に示すように、回転体１７の中心と回転体１８の中心とが重なる方向から見て、回転体１７〜２０のすべてが接する平面に対して垂直な仮想線Ｔと支持軸１３、１４とのなす角βはそれぞれ３０°である。また、回転体１９の中心と回転体２０の中心とが重なる方向から見て、仮想線Ｔと支持軸１５、１６とのなす角γもそれぞれ３０°である。
【００１６】
図１〜図８に示すように、前記各支持軸１３〜１６には、マッサージ用の回転体１７，１８，１９，２０が長四角形の頂点上に配置された状態で回転可能に支持されている。各回転体１７〜２０は、合成樹脂製の球状体により構成されている。各回転体１７〜２０の外表面には、肌の組織に刺激を与える多数の三角状の小平面１７１，１８１，１９１，２０１が区画形成されている。各回転体１７〜２０の外表面には、導電体としての導電メッキが施されている。
【００１７】
各回転体１７〜２０の径はそれぞれ、３８〜４５ｍｍとすることが好ましく、４０ｍｍとすることがより好ましい。各回転体１７〜２０の径の大きさは、すべて同じであってもよいし、その一部の径が他の径と異なっていてもよい。
【００１８】
図６に示す回転体１７の外表面と回転体１８の外表面との距離（すなわち回転体１７と回転体１８との間隔）Ｍ１よりも、図５（ａ）に示す回転体１７の外表面と回転体１９の外表面との距離（すなわち回転体１７と回転体１９との間隔）Ｍ２の方が大きい。そして、図６に示す距離Ｍ１は９ｍｍ〜１３ｍｍであることが好ましく、１１ｍｍであることがより好ましい。また、図５（ａ）に示す距離Ｍ２は、１４ｍｍ〜４０ｍｍであることが好ましく、３９．５ｍｍであることがより好ましい。なお、図７に示すように、回転体１９と回転体２０との間隔は上記間隔Ｍ１と同一である。また、回転体１８と回転体２０との間隔は上記間隔Ｍ２と同一である。
【００１９】
図８に示すように、前記本体１２の中央部には、支持ボス２１が形成されている。本体１２上には、ハンドル２２がその下面中央に突設された支軸２３を支持ボス２１に挿通することによって回転可能及び上下動可能に支持されている。ハンドル２２は、合成樹脂により本体１２の上面全体を覆うよう形状に形成されている。ハンドル２２の両側部には、円弧凹状の把持部２２１が形成されている。支軸２３の下端部に固定されたバネ座２４と支持ボス２１の下端縁との間には、ハンドル２２を下方に向かって移動付勢するバネ２５が介装されている。
【００２０】
図８に示すように、前記ハンドル２２の下面中央には、金属製のカラー２６が埋設されている。カラー２６の下面には、一対の半球状の係合突起２７が支軸２３の軸心を中心とする同一円周上において１８０度の間隔をおいて形成されている。本体１２の上面中央には、係合突起２７に係合可能な複数対の半球状の係合凹部２８が形成されている。各対の係合凹部２８は、支軸２３の軸心を中心とする同一円周上において所定角度（例えば４５度）の間隔をおいて形成されている。そして、本体１２に対してハンドル２２が時計方向又は反時計方向に回転されたとき、係合突起２７がクリックモーションで各対の係合凹部２８に係合される。これにより、ハンドル２２の回動位置が所定角度ごとに規制されて、例えば図３に実線及び鎖線で示すように、ハンドル２２の向きが任意に変更される。
【００２１】
図１、図３、図８及び図９に示すように、前記ハンドル２２の上面には、一対の凹部２９が形成されている。各凹部２９内には、太陽電池パネル３０が設置されている。ハンドル２２の内部には、ニッケル水素電池等の充電可能な電池３１が配設されている。そして、太陽電池パネル３０で発電された電力が、電池３１に充電される。
【００２２】
ハンドル２２内には、回路基板３２が配設されている。回路基板３２には、電池３１により駆動されて回転体１７〜２０の導電メッキ間に電位差を与える給電装置３３が搭載されている。この場合、長四角形の頂点上に配置された４個の回転体１７〜２０のうちで、長四角形の長辺の両端において対向する回転体１７，１９及び１８，２０の導電メッキ間に対して、給電装置３３からプラスとマイナス等の極性の電位差が与えられる。従って、長四角形の対角線上において対向する回転体１７，２０及び１８，１９の導電メッキ間に対しても、給電装置３３からプラスとマイナス等の極性の電位差が与えられる。この場合、電池３１と導電メッキとの間には発振回路（図示しない）が介在され、導電メッキ間には断続的な電圧が印加される。図３に示すように、ハンドル２２上にはスイッチ５０と表示ランプ５１とが設けられている。スイッチ５０のオンにより、給電装置３３が動作されて回転体１７，１９及び１８，２０の導電メッキ間に電位差が供給され、その状態が表示ランプ５１の点灯によって表示される。
【００２３】
なお、回転体１７〜２０の導電メッキは、給電装置３３の給電路以外の部分、例えば本体１２の外周面とは電気絶縁されている。
図８及び図９に示すように、前記ハンドル２２内の回路基板３２には、給電装置３３から電位差が与えられる回転体１７〜２０上の導電メッキ間の電気抵抗を検出する検出部３４が設けられている。また、回路基板３２には、その検出部３４の検出結果を入力する制御部３５、及び検出された電気抵抗が所定値以下の場合に制御部３５の制御のもとで給電装置３３からの電位差を下げる調整部３６が搭載されている。制御部３５には、スイッチ５０による給電装置３３の作動開始からの経過時間を計測して、一定時間（例えば１０分）経過したときに、節電のために給電装置３３からの出力をダウンまたは供給停止させるタイマ部３５１が設けられている。これにより、給電装置３３の長時間の作動が抑制されて、電池３１の早期放電が防止されるようになっている。
【００２４】
図８に示すように、前記本体１２の支持ボス２１の内周面と支軸２３の外周面との間には、本体１２上のハンドル２２内への水の浸入を防止するための防水構造としてのシールリング３７が介装されている。本体１２の上端部の外周面とハンドル２２の下面中央部の内周面との間にも、同様の防水構造としてのシールリング３８が介装されている。
【００２５】
次に、前記のように構成されたマッサージ器の作用を説明する。
はじめに、ハンドル２２を本体１２に対して必要に応じて回転させてハンドル２２の向きを持ちやすい位置に設定する。そして、このマッサージ器１１を使用して、身体の腕や足首等の曲率が大きくて細い部位をマッサージする場合には、図３に実線または２点鎖線で示すように、この状態で、ハンドル２２の把持部２２１を把持して、図４（ａ）及び図５（ａ）に鎖線で示すように、各回転体１７〜２０を腕や足首等の肌３９に押し当てる。
そして、図２及び図３に矢印Ｐ１で示すように、各対の回転体１７，１８及び回転体１９，２０を前方及び後方にして、ハンドル２２により本体１２を一方の回転体１７，１８側に移動させる。
【００２６】
すると、図２及び図３に矢印Ｑ１，Ｑ２で示すように、先行する一対の回転体１７，１８が、移動方向の前方側に向かって広がるように交差した軸線を中心にして内向きに回転される。これにより、図４（ａ）に示すように、各回転体１７，１８において肌３９が押圧されようにマッサージされる。それと同時に、図２及び図３に矢印Ｑ３，Ｑ４で示すように、後行する一対の回転体１９，２０が、移動方向の後方側に向かって広がるように交差した軸線を中心にして内向きに回転される。これにより、図４（ｂ）に示すように、両回転体１９，２０間において肌３９が摘まみ上げられるようにマッサージされる。つまり、本体１２の一方向への移動によって、肌３９に同じ部分に対する押圧と摘まみ上げとの異なったマッサージ効果が得られる。
【００２７】
また、ハンドル２２により本体１２を図２及び図３の矢印Ｐ１と反対方向に移動させた場合には、前記の場合と逆の回転体１７〜２０において、押圧と摘まみ上げとのマッサージが行われる。すなわち、先行する一対の回転体１９，２０において、図４（ａ）に示すように、肌３９が押圧されようにマッサージされる。それと同時に、後行する一対の回転体１７，１８間において、図４（ｂ）に示すように、肌３９が摘まみ上げられるようにマッサージされる。よって、本体１２を図２及び図３の矢印Ｐ１方向及び反対方向に往復移動させれば、肌３９に対する押圧及び摘まみ上げの揉みほぐしによるマッサージ効果を繰り返し得ることができる。
【００２８】
これらの場合には、各対の回転体１７，１８及び回転体１９，２０を支持する支持軸１３，１４及び支持軸１５，１６の軸線間隔Ｌ１が回転体１７，１９及び回転体１８，２０の軸線間隔Ｌ２よりも小さくなっている。このため、身体の腕や足首等の曲率が大きくて細い部位を２対の回転体１７，１８及び回転体１９，２０間において、効果的にマッサージすることができる。特に、図４（ｂ）に示すように、肌３９を摘まみ上げられるようにマッサージする作用においては有効である。
【００２９】
さらに、このマッサージ器１１の使用時には、本体１２上のハンドル２２内に搭載された電池３１からの電力によって給電装置３３が作動され、その給電装置３３から先行の回転体１７，１８と後行の回転体１９，２０との導電メッキ間に電位差が与えられる。これにより、その回転体１７〜２０上の導電メッキ間の肌３９に微弱電流が流れて、電気的刺激が与えられる。よって、その電気的刺激と前記揉みほぐしとの協働作用により、良好なマッサージ効果を得ることができる。
【００３０】
また、回転体１７、１９と回転体１８、２０との間隔Ｍ１よりも、回転体１７、１８と回転体１９、２０との間隔Ｍ２の方が大きい。そして、前記給電装置３３の作動時には、配置間隔の大きい回転体１７，１８と回転体１９，２０との導電メッキ間に電位差が与えられる。このため、導電メッキ間の比較的広範囲な肌３９に電流を流すことができるので、局所的に電流が流れることなく、適度の電気的刺激を得ることができる。しかも、この給電装置３３の作動時には、検出部３４により回転体１７〜２０上の導電メッキ間の電気抵抗が検出されて、その検出された電気抵抗が所定値以下の場合に、調整部３６により給電装置３３からの電位差が下げられる。このため、例えば肌３９が濡れているような電気抵抗が小さい場合においても、肌３９に電流が流れすぎて、強い電気的刺激が与えられるおそれはない。
【００３１】
次に、身体の腿や腰等の曲率が小さくて太い部位をマッサージする場合には、前記と同様に、ハンドル２２の把持部２２１を把持して、各回転体１７〜２０を腿や腰等の肌３９に押し当てる。そして、対間の回転体１７，１９及び回転体１８，２０を前方及び後方にして、ハンドル２２により本体１２を図３の矢印Ｐ２方向に移動させる。すると、先行する対間の回転体１７，１９において、図５（ａ）に示すように、肌３９が押圧されようにマッサージされる。それと同時に、後行する対間の回転体１８，２０間において、図５（ｂ）に示すように、肌３９が摘まみ上げられるようにマッサージされる。
【００３２】
また、本体１２を図３の矢印Ｐ２と反対方向に移動させた場合には、前記の場合と逆の回転体１７〜２０において、押圧と摘まみ上げとのマッサージが行われる。すなわち、先行する対間の回転体１８，２０において、図５（ａ）に示すように、肌３９が押圧されると同時に、後行する対間の回転体１７，１９間において、図５（ｂ）に示すように、肌３９が摘まみ上げられる。よって、本体１２の一方向への移動ごとに、肌３９に対する押圧と摘まみ上げとの異なったマッサージ効果が得られるとともに、本体１２を図３の矢印Ｐ２方向及び反対方向に往復移動させることにより、それらのマッサージ効果を繰り返し得ることができる。
【００３３】
これらの場合には、対間の回転体１７，１９及び回転体１８，２０を支持する支持軸１３，１５及び支持軸１４，１６の軸線間隔Ｌ２が大きくなっている。このため、身体の腿や腰等の太い部位を対間の回転体１７，１９及び回転体１８，２０間において、効果的にマッサージすることができる。特に、図５（ｂ）に示すように、肌３９を摘まみ上げられるようにマッサージする作用においては有効である。
【００３４】
さらに、このマッサージ器１１の使用時においても、前記の場合と同様に、回転体１７，１８及び１９，２０の導電メッキ間に電位差が与えられ、その導電メッキ間の肌３９に電流が流れて、電気的刺激が与えられる。よって、その電気的刺激と前記揉みほぐしとの協働作用により、良好なマッサージ効果を得ることができる。
【００３５】
従って、この実施形態によれば、以下のような効果を得ることができる。
（１）  この実施形態においては、把持可能な本体の一側面に、４個の回転体が本体の側面から突設された軸線を中心にして回転可能に支持されている。各回転体の表面には、導電メッキが設けられている。それらの回転体の導電メッキ間に電位差を与えるための給電装置が設けられている。
【００３６】
このため、このマッサージ器においては、回転体を肌に接触させて回転させると、回転体により肌及び筋肉が押圧されたり摘まみ上げられたりして揉みほぐされる。このとき、給電装置から複数の回転体の導電メッキ間に電位差が与えられ、その導電メッキ間の肌及び筋肉に電流が流れて、肌及び筋肉に電気的刺激が与えられる。よって、その電気的刺激と前記揉みほぐしとの協働作用により、良好なマッサージ効果を得ることができる。
【００３７】
（２）  この実施形態においては、前記各回転体の軸線が先広がり傾斜状に延びるように構成されている。このため、各回転体を肌に接触させた状態で、本体を隣接する一対の回転体の配列方向と交差する方向に沿って移動させれば、隣接する一対の回転体間において、肌や筋肉を押圧したり摘まみ上げたりする揉みほぐしのマッサージ効果を得ることができる。
【００３８】
（３）  この実施形態においては、４個の回転体が長四角形の頂点上に位置するように配置されている。このため、本体を隣接する一対の回転体の配列方向と交差する方向に沿って一方向に移動させれば、先行する隣接状態の回転体間において、肌を押圧するようなマッサージ効果が得られるとともに、後行する隣接状態の回転体間において、肌を摘まみ上げるようなマッサージ効果が得られる。よって、本体を往復動させることなく一方向に移動させるのみの簡単な操作で、肌及び筋肉に対する押圧と摘まみ上げとの異なったマッサージ効果を同時に得ることができる。
【００３９】
（４）  この実施形態においては、前記給電装置が長四角形の長辺の両端において対向する回転体の導電メッキ間に電位差を与えるようになっている。このため、電位差が与えられる回転体上の導電メッキ間の間隔を大きく確保することができて、それらの導電メッキ間の肌及び筋肉に電流を流すことにより、広範囲に適度な電気的刺激を与えることができる。ちなみに、電位差が与えられる回転体上の導電メッキ間の間隔が小さい場合には、それらの導電メッキ間の肌及び筋肉に局所的に電流が流れて、強い電気的刺激が与えられるおそれがある。
【００４０】
（５）  この実施形態においては、前記給電装置が長四角形の対角線上において対向する回転体の導電メッキ間に電位差を与えるようになっている。このため、電位差が与えられる回転体上の導電メッキ間の間隔を大きく確保することができて、それらの導電メッキ間の肌に電流を流すことにより、過剰とならない適度の電気的刺激を与えることができる。
【００４１】
（６）  この実施形態においては、前記給電装置には、回転体上の導電メッキ間の電気抵抗を検出する検出部と、検出された電気抵抗が所定値以下の場合に電位差を下げる調整部とが設けられている。このため、例えば肌が濡れている場合等においては、検出部により検出される回転体上の導電メッキ間の電気抵抗が所定値以下となって、調整部により回転体の導電メッキ間への電位差が下げられる。よって、肌に高電圧が流れて、強く、不快な電気的刺激が与えられるおそれを抑制することができる。
【００４２】
（７）  この実施形態においては、太陽電池パネル３０で発電された電力が本体内に搭載された電池に蓄積され、その電力によって給電装置が駆動されるようになっている。このため、給電装置を交流電源等の外部電源に接続する必要がなく、本体内に搭載された電池によって駆動することができて、マッサージ器を手軽に使用することができる。
【００４３】
（８）  この実施形態においては、前記回転体が球状体によって構成されている。このため、球状体よりなる回転体の回転により、肌及び筋肉に対する押圧と摘まみ上げとのマッサージ効果を有効に得ることができる。
【００４４】
（第２実施形態）
次に、マッサージ器の第２実施形態を前記第１実施形態と異なる部分を中心に説明する。
【００４５】
この第２実施形態においては、図１０〜図１２に示すように、本体１２上のハンドル２２が省略されている。そして、本体１２の両側部には、円弧凹状の把持部１２２が形成されている。この実施形態のマッサージ器は本体１２を直接把持して使用するようになっている。また、この実施形態では、４個の回転体１７〜２０上に支持軸１３〜１６が一体状に突設され、それらの支持軸１３〜１６が本体１２内に挿入された状態で、軸受部４１により回転可能に支持されている。各支持軸１３〜１６と本体１２側の軸受部４１との間には、本体１２内への水の浸入を防止するための防水構造としてのシールリング４２が設けられている。
【００４６】
さらに、この実施形態においては、給電装置３３、検出部３４、制御部３５及び調整部３６を搭載した回路基板３２と電池３１とが、本体１２内に収納されている。本体１２の上面には、給電装置３３からの電位差、すなわち出力を複数段階に切換調節するための３つのスイッチ４３１〜４３３を有する切換調節部４３が設けられている。そして、例えば、顔、首や腕、胴のようにマッサージされる部位に対応して、スイッチ４３１〜４３３を選択操作することにより、発振回路（図示しない）の動作により波形の異なる３種類のパルス電圧が供給される。このスイッチ４３１〜４３３の選択状態は、表示ランプ５１１〜５１３の点灯によって表示される。また、この切換調節部４３は、の各３種類のパルス電圧の切換段階において、パルス電圧の周波数を高い（０．２秒ごと）と低い（２秒ごと）との２段階に切り換えるスイッチ４３４と、そのスイッチ４３４による切替え状態を点灯表示する表示ランプ５１４とを備えている。さらに、切換調節部４３は、３種類のパルス電圧の切換段階において、電圧の強弱を切り換えるスイッチ４３５と、そのスイッチ４３５による切替え状態を点灯表示する表示ランプ５１５とを備えている。
【００４７】
図１１に示すように、この実施形態のマッサージ器１１には、電池３１を充電するための充電器４４が用意されている。充電器４４のケース４５の上面中央には、凸部４５１が形成されている。凸部４５１内には、充電用コイル４６が配設されている。マッサージ器１１の本体１２内の下部中央には、充電器４４側の充電用コイル４６と対応する被充電用コイル４７が配設されている。そして、充電器４４上にマッサージ器１１が設置されると、充電用コイル４６に誘導電流が流れ、マッサージ器１１の電池３１に充電が行なわれる。
【００４８】
従って、この第２実施形態によれば、前記第１実施形態における（１）〜（８）に記載の効果に加えて、以下のような効果を得ることができる。
（９）  この実施形態においては、回転体１７〜２０間に供給される電位差の形態を複数段階に切換調節したり、パルス電圧の周波数を切替えたり、同電圧の強弱を切替えたりするための切換調節部４３が備えられている。このため、顔、首や腕、胴等の部位や疲労度等に応じて、適度の電気的刺激を得ることができる。
【００４９】
（１０）  この実施形態においては、前記各回転体１７〜２０を支持する支持軸１３〜１６が回転体１７〜２０と一体状に設けられ、それらの支持軸１３〜１６と本体１２との間に、本体１２内への水の浸入を防止するための防水構造としてのシールリング４２が設けられている。このため、簡単な防水構造で、本体１２内への水の浸入を適切に防止することができる。
【００５０】
（１１）  この実施形態においては、電池３１に対して非接触によって充電するように構成している。このため、充電のための端子がマッサージ器１１及び充電器４４のいずれにも存在しないため、デザイン上好ましいだけではなく、漏電や放電を抑制できるとともに、端子の錆びや酸化変色による外観低下を防止できる。
【００５１】
（変更例）
なお、この実施形態は、次のように変更して具体化することも可能である。
・  前記各実施形態では、回転体１７〜２０が円錐面上において本体１２の下部外方に向かって先広がりの傾斜状、つまり放射状に延びる軸線上に位置するように配列されているが、この軸線の角度を変更すること。例えば、一方向に隣接する回転軸が同方向へ向かって平行をなすとともに、他方向に隣接する回転軸が先広がりをなすように構成すること。
【００５２】
・  回転体１７〜２０の導電メッキ間に交流電流を供給すること。この場合、人体の肌の抵抗値はインピーダンスで表される。
・  前記両実施形態において、支持軸１３〜１６、すなわち回転体１７〜２０の数を、３個にしたり５個以上の複数個にしたりすること。例えば、回転体１７〜２０の数を３個にした場合、各ローラ間の間隔をすべて異ならせることにより、身体の各部の異なる曲率に合わせて適切にマッサージできるようにしたり、摘み上げ量を変化させるようにしたりすることが可能になる。
【００５３】
・  両実施形態において、マッサージのための電位差の供給を２個の回転体または３個の回転体に供給すること。
・  両実施形態において、マッサージのための電位差の供給を接近する複数個の回転体間に供給し、離間する複数の回転体間には供給しないようにすること。
【００５４】
・  前記第１実施形態において、ハンドル２２の向きを前記の構成とは異なった角度、例えば３０度ごとに変更できるように構成すること。
・  前記第１実施形態において、ハンドル２２を、棒状、ボール状、環状等の実施形態と異なる形状にすること。
【００５５】
・  前記第１実施形態において、ハンドル２２を本体１２に対して一体に形成し、または回転不能に固定すること。
・  前記各実施形態において、本体１２を、合成樹脂以外の材料、例えば、金属や木、あるいは石やセラミック等によって形成すること。
【００５６】
・  前記第１実施形態において、ハンドル２２を、合成樹脂以外の材料、例えば、金属や木、あるいは石やセラミック等によって形成すること。
・  前記各実施形態において、回転体１７〜２０の形状を変更すること。例えば、楕円球状、ラグビーボール形状、先端側が球状のバルーン形状等にすること。
【００５７】
・  前記第１実施形態において、本体１２またはハンドル２２に充電アダプタ接続口を設け、太陽電池パネル３０に代え、またはそれと併用して、充電アダプタ接続口に充電アダプタを介して交流電源を整流回路を介して接続することにより、電池３１を充電するように構成すること。
【００５８】
・  前記第２実施形態において、非接続式の充電器４４に代えて、本体１２上に設けられた充電アダプタ接続口に充電アダプタを介して交流電源を接続することにより、電池３１を充電するように構成すること。
【００５９】
・  前記各実施形態において、回転体１７〜２０を弾性移動（支持軸１３〜１６の軸方向あるいはそれと交差する方向）にさせるためのサスペンション機構を設けること。
・  支持軸１３〜１６の中心軸線と少なくとも１個のローラ１７〜２０の中心軸線とを一致させず、それらを異なる位置に配置して、支持軸１３〜１６の中心軸線に対してローラ１７〜２０の中心軸線を傾斜させること。この場合、ローラ１７〜２０の中心軸線は支持軸１３〜１６の中心軸線に対して交差しても交差しなくてもよい。交差する場合は、隣り合う少なくとも一対の軸線が交差すればよい。このようにすれば、ローラ１７〜２０はその回転にともなって揺動するため、皮膚への当接圧力に強弱をつけることができる。
【００６０】
・  支持軸１３〜１６の中心軸線に対して少なくとも１個のローラ１７〜２０の中心軸線を偏心させること。この場合、ローラ１７〜２０の中心軸線は支持軸１３〜１６の中心軸線に対して平行である。このようにすれば、ローラ１７〜２０は偏心回転するため、皮膚への当接圧力に強弱をつけることができる。
【００６１】
・  少なくとも１個のローラ１７〜２０において、支持軸１３〜１６を本体１２に軸受を介して回転可能に支持するとともに、その支持軸１３〜１６にローラ１７〜２０を固定すること。従って、この構成においては、支持軸１３〜１６とローラ１７〜２０とが一体に回転される。また、この構成において、少なくとも１個のローラ１７〜２０において、支持軸１３〜１６の脚部１２１に支持される部分と、ローラ１７〜２０を支持する部分との間において、支持軸１３〜１６を屈曲または湾曲させること。このようにすれば、支持軸１３〜１６が全体としてくの字状やクランク状になる。従って、ローラ１７〜２０が揺動しながら回転されたり、偏心回転されたりするため、皮膚への当接圧力に強弱をつけることができる。
【００６２】
・  前記第２実施形態では、電池３１に対して非接触充電を行なうように構成したが、端子間の接触による接触充電を行なうように構成すること。
【００６３】
（第３実施形態）
次に、マッサージ器の第３実施形態について前記第１実施形態及び第２実施形態と異なる部分を中心に説明する。第３実施形態においては、図１３に示すように、第２実施形態と同様に、本体１２にはハンドル２２（図１参照）が備えられていない。そして、本体１２の両側部には、円弧凹状の把持部１２２が形成されている。この実施形態のマッサージ器１００は本体１２の一体的に形成されている把持部１２２を把持して使用されるようになっている。
【００６４】
本体１２は、図１５に示すように、本体上側部１２３及び本体下側部１２４を備える。本体上側部１２３と本体下側部１２４とは、本体上側部１２３に形成されたネジ孔１２５ａと本体下側部１２４に形成されたボス１２４ｂを介して複数のネジ１２５によって上下方向Ｚに互いに固定されている。本体上側部１２３及び本体下側部１２４はいずれもＡＢＳ樹脂製である。本体上側部１２３と本体下側部１２４とによって囲まれている本体１２の内部には、後述の電池３１に接続された電源回路基板３２１と、後述の給電装置３３を構成する給電回路基板３３１と、給電回路基板３３１を固定する基板固定台３３２と、本体１２の水没を検出する水没センサ６０とが収納されている。
【００６５】
図１５に示すように、給電回路基板３３１には、スイッチ３３５、３３６及び複数のＬＥＤランプ３３７が実装されている。また、給電回路基板３３１には、電源回路基板３２１に接続される電源ハーネス３３８と、支持軸１３〜１６に接続される出力ハーネス３３９が備えられている。給電回路基板３３１は、ネジ３３３によって基板固定台３３２に固定されている。基板固定台３３２は、給電回路基板３３１に実装されたスイッチ３３５、３３６及びＬＥＤ３３７が本体上側部１２３の内側面に対向にするように、本体上側部１２３にネジ３３４によって固定されている。
【００６６】
給電回路基板３３１には、回転体１７〜２０の導電メッキ間に電位差を付与する給電装置３３の他に、実施例１の場合と同様に電気抵抗検出部３４及び制御部３５（図１９参照）が形成されている。また、給電装置３３は図示しない発振回路に接続されており、当該発振回路の動作により波形の異なる３種類のパルス電圧が供給されるように構成されている。給電装置３３の出力電圧はスイッチ３３５により切替可能となっているとともに、発振回路の動作は、スイッチ３３６により切替可能となっている。そして、これらの切替状態は、ＬＥＤランプ３３７によって点灯表示される。なお、図１９に示すように、制御部３５には実施例１の場合と同様にタイマ部３５１が設けられている。これにより、給電装置３３の長時間の作動が抑制されて、電池３１の早期放電が防止されるようになっている。
【００６７】
電源回路基板３２１は、図１５に示すように、ネジ３２２によって本体下側部１２４の内側面に取り付けられている。本体下側部１２４は、本体１２の外側に開口するように凹状に形成されて電池３１を保持する電池保持部３１２を備える。なお、電池３１はボタン型の電池であって、本実施形態では電池３１としてＣＲ２０３２型のボタン電池を採用している。電池保持部３１２には、電池３１の各電極と接触して電気的に接続される電池接続端子３１３、３１４が設けられている。電池接続端子３１３、３１４は電源回路基板３２１に接続されており、電源回路基板３２１に電池３１の電力が供給される。本体下側部１２４には、電池保持部３１２を覆う蓋３１１は着脱可能に設けられている。本体下側部１２４と蓋３１１との間には、Ｏリング３１１ａが介在しており、本体下側部１２４と蓋３１１との間がシールされている。
【００６８】
図１４に示すように、本体下側部１２４には本体１２の水没を検出して水没信号を出力する水没センサ６０が設けられている。水没センサ６０は、図１４、図１５に示すように、一対の水没検出電極６０ａ、６０ｂを備えている。水没センサ６０は、Ｏリング６２が取り付けられた状態で本体下側部１２４に設けられた貫通孔からなる筒状の取付孔６１に挿通されている。そして、Ｏリング６２によって、取付孔６１の壁面と水没センサ６０との間がシールされている。水没センサ６０は、固定板６４に形成されたスリット６４ａに嵌め込まれている。そして、固定板６４はネジ６５によって本体下側部１２４の内側面に取り付けられる。これにより、水没センサ６０は、固定板６４を介して本体下側部１２４に取り付けられている。水没センサ６０はセンサハーネス６３を介して給電回路基板３３１に電気的に接続されている。
【００６９】
一対の水没検出電極６０ａ、６０ｂは、図１６に示すように、後述の下面カバー１２８のセンサ孔１２８ｂを介して本体１２に表出して互いに離れて配設されている。そして、水没センサ６０は、該一対の水没検出電極６０ａ、６０ｂ間の電気抵抗の減少により本体１２の水没を検出する。すなわち、マッサージ器１００は、図１９に示すように、本体１２の水没を検出する水没検出部６として水没センサ６０を備えている。さらに、電回路基板３３１（図１５参照）には、給電装置３３の駆動を制御する給電装置制御部７としての給電装置制御回路７０が形成されている。
【００７０】
図１５に示すように、本体上側部１２３には、スイッチ３３５、３３６に対向する位置にそれぞれ貫通孔３３５ａ、３３６ａが形成されているとともに、ＬＥＤランプ３３７に対向する位置にスリット３３７ａが形成されている。そして、本体上側部１２３の上面には、貫通孔３３５ａ、３３６ａを介してスイッチ３３５、３３６を押圧可能なようにボタン４３６、４３７が配設されているとともに、スリット３３７ａを覆うように表示パネル５１６が配設されている。
【００７１】
さらに、本体上側部１２３の上面には、上面カバー１２６が取り付けられている。上面カバー１２６には複数の係合爪（図示せず）が形成されているとともに、本体上側部１２３には当該係合爪が係合する複数の係合溝（図示せず）が形成されている。上面カバー１２６の係合爪が本体上側部１２３の係合溝に係合することにより上面カバー１２６が本体上側部１２３に固定されている。上面カバー１２６が本体上側部１２３の上面に取り付けられることにより、ネジ孔１２５ａが外部から視認されないようになっている。
【００７２】
上面カバー１２６は、ボタン４３６、４３７及び表示パネル５１６に対向する位置に、ボタン４３６、４３７及び表示パネル５１６の外形に沿う切り抜き部１２６ａが形成されており、当該切り抜き部１２６ａを介してボタン４３６、４３７及び表示パネル５１６が本体１２の上面に表出している。なお、上面カバー１２６におけるボタン４３６、４３７及び表示パネル５１６の周囲には意匠パネル１２９が取り付けられている。
【００７３】
本体下側部１２４の下面には、下面カバー１２８が取り付けられている。本体下側部１２４には、複数の係合溝１２４ａが形成されているとともに、下面カバー１２８には複数の係合爪１２８ａが形成されている。複数の係合爪１２８ａが係合溝１２４ａに係合されることにより、下面カバー１２８が本体下側部１２４の下面に固定されている。また、下面カバー１２８には、本体下側部１２４の取付孔６１に対向する位置にセンサ孔１２８ｂが形成されている。これにより、本体下側部１２４の取付孔６１、下面カバー１２８及びセンサ孔１２８ｂを介して、水没センサ６０が本体１２の外部に表出するようになっている。また、下面カバー１２８において、電池保持部３１２に対向する位置には、開口部１２８ｃが形成されており、下面カバー１２８が装着された状態で、電池保持部３１２に対して電池３１の着脱が可能となっている。
【００７４】
図１５に示すように、本体上側部１２３の外縁に沿って排水溝１２３ａが形成されているとともに、本体下側部１２４の外縁に沿って排水溝１２４ｃが形成されている。そして、排水溝１２３ａは本体上側部１２３の前端側に、排水溝１２４ｃに連通する排水孔１２３ｂを備える。また、図示しないが排水溝１２３ａは本体上側部１２３の後端側にも排水溝１２４ｃに連通する排水孔を備える。一方、排水溝１２４ｃは本体下側部１２４の前端側及び後端側に、下面カバー１２８側に開口した図示しない排水孔を備える。そして、下面カバー１２８は、その前端側及び後端側に本体下側部１２４の排水溝１２４ｃの排水孔を介して連通するとともに、外部に開口する排水口１２８ｅをそれぞれ有する。これにより、本体上側部１２３と上面カバー１２６との間や、本体下側部１２４と上面カバー１２８との間に入り込んだ水は、排水溝１２４ｃ、排水溝１２３ａ、排水孔１２３ｂ及び排水口１２８ｅを介して外部に排出され、本体上側部１２３と本体下側部１２４との内側への浸水の防止が図られている。また、本体上側部１２３の上面略中央には、通気孔１２３ｃが形成されているとともに、当該通気孔１２３ｃは樹脂製多孔質フィルム１２３ｄによりシールされており、本体上側部１２３の内側への浸水の防止が図られている。
【００７５】
図１４、図１５に示すように、本体１２の下面側には４個の回転体１７〜２０が備えられている。回転体１７〜２０はそれぞれ支持軸１３〜１６を介して本体１２（図２参照）に取り付けられている。回転体１７〜２０の表面には導電体としての導電メッキが形成されている。回転体１７の取り付け態様について以下に詳述する。図１７に示すように、回転体１７はローラ固定リング２１３を備えている。ローラ固定リング２１３は、円筒状の筒状部２１３ａと、筒状部２１３ａにおける一端側端部に円環状に形成されている鍔部２１３ｂと、筒状部２１３ａと鍔部２１３ｂとの接合部において外周面に形成された円環状の環状溝部２１３ｃと、を有する。環状溝部２１３ｃには、Ｏリング２１３ｄが装着されている。そして、ローラ固定リング２１３には、図１８に示すように、筒状部２１３ａの軸心を貫通する貫通孔２１３ｆが形成されており、貫通孔２１３ｆに支持軸１３が挿通されている。支持軸１３の本体１２側端部近傍には拡径部１３ｃが形成されている。拡径部１３ｃは外周部の一部がカットされており、軸方向に垂直な断面形状がＤ字状となっている。
【００７６】
ローラ固定リング２１３の筒状部２１３ａには、図１８に示すように、オイルシール２１４が配設されている。オイルシール２１４は、筒状部２１３ａに嵌め込まれる環状の嵌め合い部２１４ａと、嵌め合い部２１４ａの内周面に環状に突出形成されるリップ部２１４ｂとを有する。嵌め合い部２１４ａの外径は筒状部２１３ａの内径に一致しており、両者の軸心を一致させた状態で嵌め合い部２１４ａが筒状部２１３ａ内に嵌入している。そして、リップ部２１４ｂが支持軸１３の外周面に摺接しているとともに、両者の間に潤滑剤としてオイルシールグリースが介在しており両者の間がシールされている。
【００７７】
ローラ固定リング２１３における鍔部２１３ｂと反対側にはボール軸受型の環状のベアリング２１５が配置されている。ベアリング２１５の内径は支持軸１３の外径と一致しており、ベアリング２１５に支持軸１３が挿通されている。ベアリング２１５の外径はローラ固定リング２１３の筒状部２１３ａの内径よりも大きく、ベアリング２１５は筒状部２１３ａにおける鍔部２１３ｂの反対側の縁部に当接している。さらに、支持軸１３の中央付近には外周面に溝１３ｄが形成されており、該溝１３ｄにＥリング２１６が係合されている。ベアリング２１５は、筒状部２１３ａの縁部とＥリング２１６と支持軸１３の軸方向両側から挟まれており、抜け止めがなされている。
【００７８】
図１７に示すように、ベアリング２１５には、接続金具２１７が取り付けられている。接続金具２１７は、ベアリング２１５の軸方向の一端面に沿う環状の環状本体部２１７ａと、環状本体部２１７ａからベアリング２１５の外周面に沿って延びるとともにベアリング２１５の軸方向の他端面に係合する２つの係合爪２１７ｂと、環状本体部２１７ａからベアリング２１５の外周面に沿っての当該外周面の軸方向中央まで延びる一つのガイド爪２１７ｃと、ベアリング２１５と反対側に突出して支持軸１３の軸心側に傾斜する接続突起２１７ｄを有する。２つの係合爪２１７ｂと一つのガイド爪２１７ｃとは周方向において等間隔（すなわち、支持軸１３の軸心を中心に１２０°間隔）に形成されている。接続金具２１７は、ガイド爪２１７ｃをベアリング２１５の外周面に沿わせつつ、係合爪２１７ｂをベアリング２１５の外周面に沿って軸方向の他端面に係合することで環状本体部２１７ａがベアリング２１５の軸方向の一端面に沿うように配設されている。そして、図１８に示すように、接続突起２１７ｄの先端部が支持軸１３の外周面に摺接している。これにより、接続金具２１７と支持軸１３とが通電可能な状態となっている。
【００７９】
図１７、図１８に示すように、支持軸１３における本体１２（図２参照）と反対側の端部１３ａに回転体１７が取り付けられている。回転体１７は、アウタローラ２１０と、アウタローラ２１０の内部を形成するローラコア２１１と、アウタローラ２１０の内部において支持軸１３の端部１３ａを覆うローラキャップ２１２とを有する。図１８に示すように、アウタローラ２１０は、回転体１７の外周面を形成するとともに、回転体１７の内側に筒状に内側筒状部２１０ａを形成している。内側筒状部２１０ａとローラ固定リング２１３との間はＯリング２１３ｄが介在しており、両者の間がシールされている。アウタローラ２１０の表面には導電メッキ（本実施形態では、クロムメッキ）が形成されている。そして、接続金具２１７の環状本体部２１７ａ、係合爪２１７ｂ及びガイド爪２１７ｃは、アウタローラ２１０の一部である内側筒状部２１０ａの表面と接している。これにより、接続金具２１７とアウタローラ２１０の導電メッキとが通電可能な状態となっている。
【００８０】
図１７、図１８に示すように、ローラ固定リング２１３の鍔部２１３ｂにはネジ２１３ｅが挿通する孔２１３ｇが４カ所形成されている。そして、孔２１３ｇにネジ２１３ｅが挿通されるとともに、アウタローラ２１０の内側筒状部２１０ａ内にローラ固定リング２１３の筒状部２１３ａが収納されるように、孔２１３ｇに挿通されたネジ２１３ｅを介してローラ固定リング２１３が回転体１７の内側に取り付けられる。そして、支持軸１３における本体１２（図１４参照）側の端部１３ｂには、ネジ１３ｅを介して出力ハーネス３３９が取り付けられている。支持軸１３は導電性の金属（本実施形態では、ステンレス合金）からなっており、出力ハーネス３３９と支持軸１３とが通電可能な状態になっている。
【００８１】
支持軸１３における本体１２（図１４参照）側の端部１３ｂは、図１５に示すように、下面カバー１２８に設けられた貫通孔１２８ｄに挿通されるとともに、本体下側部１２４に設けられた支持孔１２４ｄに挿通されている。そして、支持孔１２４ｄは拡径部１３ｃの外形に沿うようにＤ字状の形状をなしており、支持軸１３の拡径部１３ｃが支持孔１２４ｄ内に位置している。これにより、支持軸１３の回り止めがなされている。本体１２内に位置する端部１３ｂには、抜け止め用のＥリング２１８が取り付けられている。なお、支持軸１３と支持孔１２８ｄの壁面との間には支持軸１３に挿通されたＯリング２１９が介在して、両者の間をシールしている。
【００８２】
そして、他の回転体１８〜２０も、回転体１７と同様に支持軸１４〜１６を介して本体１２に取り付けられている。また、支持軸１３〜１６は、実施例１の場合と同様に本体１２の下部に向かって先広がりの傾斜状、つまり放射状に延びる軸線上に回転体１７〜２０が位置するように配列している。
【００８３】
図１４に示すように、実施例１の場合と同様に、各対の支持軸１３，１４間の軸線間隔（支持軸１３，１４における本体１２と反対側の端部同士の間の距離）と支持軸１５，１６間の軸線間隔はいずれも同一のＬ１となるように構成されている。また、対間の支持軸１３，１５及び支持軸１４，１６においても、それらの軸線間隔Ｌ２が同一となるように構成されている。そして、対間の支持軸１３，１５及び支持軸１４，１６における軸線間隔Ｌ２が、各対の支持軸１３，１４及び支持軸１５，１６における軸線間隔Ｌ１よりも大きくなるように構成されている。
【００８４】
図１４に示すように、各回転体１７〜２０の径はそれぞれ、実施例１の場合と同様に設定することができる。また、図１４に示すように、回転体１７と回転体１８との間隔Ｍ１、回転体１７と回転体１９との間隔Ｍ２についても実施例１の場合と同様に設定されている。また、支持軸１３と支持軸１４とのなす角及び支持軸１５と支持軸１６とのなす角、回転体１７の中心と回転体１８の中心とが重なる方向から見たときの仮想線Ｔ（図５参照）と支持軸１３、１４とのなす角、回転体１９の中心と回転体２０の中心とが重なる方向から見たときの仮想線Ｔと支持軸１５、１６とのなす角もそれぞれ実施例１の場合と同様に設定されている。
【００８５】
本実施形態のマッサージ器１００の使用時には、本体１２内に搭載された電池３１からの電力によって給電装置３３が作動され、その給電装置３３から回転体１７，１８の導電メッキと回転体１９、２０の導電メッキとの間に電位差が与えられる。そして、回転体１７〜２０が肌に接触されることにより、回転体１７〜２０の導電メッキ間の肌に微弱電流が流れて、肌に電気的刺激が与えられる。その結果、実施例１及び実施例２の場合と同様に、当該電気的刺激と回転体１７〜２０の回転による上記揉みほぐしとの協働作用により、良好なマッサージ効果を得ることができる。
【００８６】
回転体１７，１８と回転体１９，２０との導電メッキ間に生じる電位差は適宜設定することができる。ただし、電位差が大きすぎる場合は肌に対する電気的刺激が過度となって使用者が痛みを感じるおそれがあるため好ましくない。また、電位差が小さすぎる場合は使用者が電気的刺激に対する体感を得られにくいため好ましくない。例えば、電位差は、上記微弱電流が０．１〜１．２５ｍＡとなるように設定することができる。
【００８７】
本実施形態のマッサージ器１００は、本体１２が水没した場合に回転体１７，１８と回転体１９，２０との導電メッキ間に過剰に電流が流れることを防止するために、図１９に示すように、水没検出部６（水没センサ６０）と給電装置制御部７（給電装置制御回路７０）とを備えている。そして、本体１２が水没して水没センサ６０に浸水すると、水没センサ６０における一対の水没検出電極６０ａ、６０ｂ間の電気抵抗が低下する。当該電気抵抗が所定の値よりも低くなると、水没センサ６０は本体１２が水没したことを検出して水没信号を出力する。当該水没信号はセンサハーネス６３を介して給電装置制御回路７０に入力される。当該給電装置制御回路７０は、水没信号が入力されることによって、給電回路基板３３１に形成されている給電装置３３の駆動を停止する停止信号を給電装置３３に出力する。給電装置３３に停止信号が入力されると給電装置３３の駆動が停止される。これにより、回転体１７〜２０への給電が停止される。その結果、本体１２が水没した場合に回転体１７〜２０の導電メッキ間に電流が過剰に流れることが防止される。
【００８８】
本実施形態のマッサージ器１００によれば、４個の回転体１７〜２０が備えられているとともに、配置間隔の大きい回転体１７，１８と回転体１９，２０との導電メッキ間に電位差が与えられることにより、より広い範囲に対して押圧及び摘まみ上げの揉みほぐしによるマッサージ効果と電気的刺激を与えることができる。
【００８９】
さらに、導電性材料を含む導電性ジェルを肌に塗布して、回転体１７〜２０の導電メッキと肌との間に当該導電性ジェルを介在させることにより、肌に対する導電性を高めることができる。これにより、回転体１７，１８と回転体１９，２０との導電メッキ間に電位差を確実に与えて、効果的に電気的刺激を肌に与えることができる。特に肌が乾燥状態にある場合にも、当該肌に効果的に電気的刺激を肌に与えることができる。使用される導電性ジェルの種類は特に限定されず、公知のものを使用することができる。例えば、痩身効果を奏する導電性ジェルを使用することができる。これにより、上記マッサージ効果および電気的刺激に加えて、痩身効果を奏することができる。
【００９０】
図１７、図１８に示すように、回転体１７〜２０は略球状を成しており、それぞれの表面には緩やかに窪んだ複数の環状溝が形成されている。当該環状溝は、回転体１７〜２０のそれぞれの軸心となる支持軸１３〜１６から径方向外側に若干ずれた位置を中心として等間隔に配列している。これにより、略球状の回転体１７〜２０が支持軸１３〜１６を軸心として回転したときに、当該環状溝によって回転体１７〜２０の回転状態を視認しやすくなっている。また、当該複数の環状溝によって回転体１７〜２０表面に緩やかな凹凸が形成されるため、肌の上記摘み上げ効果が向上する。
【００９１】
回転体１７〜２０を肌に接触させた瞬間においては、両者の接触部分が非常に狭いため、両者の間に流れる微弱電流が当該狭い接触部分に集中することにより、使用者に過度の電気的刺激を与えるおそれがある。これを回避するために、回転体１７〜２０と肌とが接触したとき、すなわち、回転体１７〜２０の導電メッキ間の電気抵抗を検出する電気検出部３４が、電気抵抗が所定値以下に変化したことを検出したことにより、回転体１７〜２０と肌との接触を検出したときには、電位差調整部３６において両者の間における微弱電流を低い値から徐々に上昇させる、いわゆるスロースタート制御を行ってもよい。
【００９２】
（第４実施形態）
次に、マッサージ器の第４実施形態について第１実施形態〜第３実施形態と異なる部分を中心に説明する。第１実施形態〜第３実施形態と同一の部材には同一の符号を付してその説明を省略する。
第４実施形態においては、図２０に示すように、第２実施形態及び第３実施形態と同様に、本体１２にはハンドル２２（図１参照）が備えられていない。本実施形態のマッサージ器４００は、図２０、図２１に示すように、本体１２と、少なくとも２つの電極（本実施形態では、４つの電極１７０、１８０、１９０、２００）を備え、図２８に示すように、給電部３としての給電装置３３と、水没検出部６としての水没センサ６０と、制御部３５とを備える。
【００９３】
本実施形態のマッサージ器４００では、図２２に示す給電回路基板３３１には、電極１７０〜２００に給電して電極１７０〜２００間に電位差を付与する給電装置３３と、電極１７０〜２００間の電気抵抗を検出する電気抵抗検出部３４（図２８参照）とが設けられている。また、給電回路基板３３１には、電気抵抗検出部３４の検出結果が入力される制御部３５が搭載されている。制御部３５には、検出された電気抵抗が所定値以下の場合に制御部３５の制御のもとで給電装置３３からの電位差を調整する電位差調整部３５２（図２８参照）が設けられている。さらに、制御部３５には、給電装置３３の駆動を制御する給電制御部３５３（図２８参照）が設けられている。また、制御部３５には、スイッチ３３５による給電装置３３の作動開始からの経過時間を計測して、一定時間（例えば１０分）経過したときに、節電のために給電装置３３からの出力を低下または供給停止させるタイマ部３５１（図２８参照）が設けられている。これにより、給電装置３３が長時間作動することが抑制されて、電池３１の早期放電が防止されるようになっている。
【００９４】
図２１に示すように、本体下側部１２４には本体１２の水没を検出して水没検出信号を出力する水没検出部６としての水没センサ６０が設けられている。水没センサ６０は、後述する本体１２と回転体１９、２０（電極１９０、２００）との接続部１３０ｂの近傍に位置している。尚、水没センサ６０は、本体１２と回転体１７、１８（電極１７０、１８０）との接続部１３０ａの近傍に位置しても良い。また、接続部１３０ａ及び接続部１３０ｂ双方の近傍に設置する等、水没センサ６０を複数設けること事も可能である。この場合には、いずれか１つの水没センサ６０が水没を検知した場合に水没と判定させるようにしても良いし、複数の水没センサ６０のうち、所定の数の水没センサ６０が水没を検知した場合に水没と判定させるようにしても良い。
【００９５】
一対の水没検出電極６０ａ、６０ｂは、図２３に示すように、後述の下面カバー１２８のセンサ孔１２８ｂを介して本体１２に表出して互いに離れて配設されている。そして、水没センサ６０は、該一対の水没検出電極６０ａ、６０ｂ間の電気抵抗が所定値よりも低下することにより本体１２の水没を検出する。すなわち、マッサージ器４００は、図２８に示すように、本体１２の水没を検出する水没検出部６として水没センサ６０を備えている。尚、水没センサ６０を本体１２ではなく、回転体１７〜２０に配設するようにしても構わない。回転体１７〜２０に水没センサ６０を配設する事で、電極１７０〜２００の水没を検出する事ができる。前述の通り、マッサージ器４００の使用時に、使用者は、導電性のジェルを肌に塗布し、肌に対する導電性を高める事があるため、一対の水没検出電極６０ａ、６０ｂが肌に触れてしまうと、導電性ジェルの影響により水没検出電極６０ａ、６０ｂ間の電気抵抗が所定値よりも低下し、水没を誤検出する可能性がある。よって、回転体１７〜２０に水没センサ６０を配設する場合には、使用者の肌と接しない箇所に取り付けるようにするのが好ましい。水没センサ６０を、本体１２、回転体１７〜２０の双方に配設するようにしても勿論構わない。
【００９６】
図２２に示すように、本体上側部１２３の上面には、スリット３３７ａを覆うように表示パネル５１６が配設されている。表示パネル５１６は透光性樹脂からなり、表示パネル５１６の内側に配設されたＬＥＤランプ３３７の光が外部に透過される。これにより、給電装置３３の出力電圧や発振回路の動作の切替状態を表示する表示部５２（図２０、図２８参照）が形成されている。
【００９７】
本体下側部１２４の取付孔６１、下面カバー１２８及びセンサ孔１２８ｂを介して、水没センサ６０が本体１２の外部に露出するようになっている。これにより、水没検出部６は、電極１７０〜２００が露出する側の面に設けられることとなっている。
【００９８】
図２１、図２２に示すように、回転体１７〜２０の表面には電極１７０〜２００としての導電メッキが形成されている。
【００９９】
図２４、図２５に示すように、アウタローラ２１０の表面には電極１７０としての導電メッキ（本実施形態では、クロムメッキ）が形成されている。そして、接続金具２１７とアウタローラ２１０の導電メッキ（電極１７０）とが通電可能な状態となっている。
【０１００】
図２１に示すように、回転体１７、１８は、本体１２の下面の接続部１３０ａに接続されており、回転体１９、２０は、本体１２の下面の接続部１３０ｂに接続されている。
【０１０１】
図２７に示すように、支持軸１３及び支持軸１４に平行な断面における支持軸１３のｐ軸線１３１と支持軸１４の軸線１４１とのなす角αは６０°〜８０°であることが好ましく、７０°であることがより好ましい。また、図示しないが、支持軸１５及び支持軸１６に平行な断面において、支持軸１５と支持軸１６とのなす角も支持軸１３と支持軸１４とのなす角αと同一である。また、図２６に示すように、回転体１７の中心と回転体１８の中心とが重なる方向から見て、回転体１７〜２０のすべてが接する平面Ｕに対して垂直な仮想線Ｔと支持軸１３、１４の軸線１３１、１４１とのなす角βはそれぞれ３０°である。また、回転体１９の中心と回転体２０の中心とが重なる方向から見て、仮想線Ｔと支持軸１５、１６の軸線１５１、１６１とのなす角γもそれぞれ３０°である。
【０１０２】
本実施形態のマッサージ器４００の使用時には、回転体１７〜２０を肌に接触させて回転させると、回転体１７〜２０により肌及び筋肉が押圧されたり摘み上げられたりして揉みほぐされる。さらに、回転体１７〜２０の外表面は電極１７０〜２００を成しているとともに、本体１２内に搭載された電池３１からの電力によって給電装置３３が作動され、当該給電装置３３から電極１７０、１８０と電極１９０、２００との間に電位差が与えられる。そして、電極１７０〜２００が肌に接触されることにより、電極１７０〜２００間の肌に微弱電流が流れて、肌に電気的刺激が与えられる。その結果、電気的刺激と回転体１７〜２０の回転による上記揉みほぐしとの協働作用により、良好なマッサージ効果を得ることができる。
【０１０３】
電極１７０、１８０と電極１９０、２００との間に生じる電位差は適宜設定することができる。ただし、電位差が大きすぎる場合は肌に対する電気的刺激が過度となって使用者が痛みを感じるおそれがあるため好ましくない。また、電位差が小さすぎる場合は使用者が電気的刺激に対する体感を得られにくいため好ましくない。例えば、電位差は、上記微弱電流が０．１〜１．２５ｍＡとなるように設定することができる。
【０１０４】
回転体１７〜２０を肌に接触させた瞬間においては、両者の接触部分が非常に狭いため、両者の間に流れる微弱電流が当該狭い接触部分に集中することにより、使用者に過度の電気的刺激を与えるおそれがある。これを回避するために、回転体１７〜２０と肌とが接触したとき、すなわち、電極１７０〜２００間の電気抵抗を検出する電気抵抗検出部３４が、当該電気抵抗が所定値以下に変化したことを検出したことにより、回転体１７〜２０と肌との接触を検出したときには、電位差調整部３５２において両者の間における微弱電流を低い値から徐々に上昇させる、いわゆるスロースタート制御を行ってもよい。
【０１０５】
次に、マッサージ器４００における水没状態を検出するための制御態様について、以下に詳述する。
図２９に示すように、まず、スイッチ３３５をオンにする（ステップＳ１０）。その後、水没センサ６０における一対の水没検出電極６０ａ、６０ｂ（図２１参照）間の電気抵抗を検出する（ステップＳ１１）。そして、水没検出部６は一対の水没検出電極６０ａ、６０ｂの電気抵抗が所定値以下であるが否かを判断する（ステップＳ１２）。水没検出部６が、当該電気抵抗が所定値以下でないと判断すると（ステップＳ１２のＮｏ）、制御部３５（給電制御部３５３）の制御指示に従って、給電装置３３が電極１７０〜２００に給電する（ステップ１３）。その後、ステップＳ１１に戻る。
【０１０６】
ステップＳ１２において、水没検出部６が当該電気抵抗が所定値以下であると判断すると（ステップＳ１２のＹｅｓ）、マッサージ器４００が水没状態であると判定し（ステップＳ１４）、水没検出部６は、制御部３５に水没検出信号を出力する（ステップＳ１５）。そして、制御部３５は給電装置３３が電極１７０〜２００に給電しているか否かを判断する（ステップＳ１６）。給電装置３３が電極１７０〜２００に給電していないと判断した場合（ステップＳ１６のＮｏ）は、ステップＳ１１に戻る。
【０１０７】
ステップＳ１６において、給電装置３３が電極に給電していると判断した場合（ステップＳ１６のＹｅｓ）は、制御部３５の給電制御部３５３は、給電装置３３に停止信号を出力する（ステップＳ１７）。そして、給電装置３３は電極１７０〜２００への給電を停止する（ステップＳ１８）。その後はステップＳ１１に戻る。尚、制御部３５が水没検出部６からの水没検出信号を受け付けた場合に、ステップＳ１６の判断処理を行わずに、給電制御部３５３が給電装置３３に停止信号を出力するように構成しても良い。
【０１０８】
これにより、水没状態と判断されると、回転体１７〜２０への給電が停止されるように制御される。その結果、本体１２が水没した場合に電極１７０〜２００間に電流が過剰に流れることが確実に防止される。尚、図２９では、ステップＳ１８の処理の後、処理をステップＳ１１に戻しているが、ステップＳ１８の処理を終了後、スイッチ３３５をオフにし、図２９に示す処理を終了するようにしても良い。その場合には、水没検知信号が出力されたことにより、給電装置３３から電極１７０〜２００への給電が停止した後に、再度使用者がスイッチ３３５をオンにする操作を行わない限り、給電装置３３から電極１７０〜２００への給電が再開されない。これにより、使用者が意図していない電極１７０〜２００への給電の再開を好適に防ぐことができ、電池３１の早期放電が防止される。また、一定時間（例えば１分）水没状態が続いた場合に、スイッチ３３５をオフにするように構成する事も勿論可能である。さらには、給電装置３３から電極１７０〜２００への給電が停止した後に、表示部５２の表示を、給電装置３３の出力電圧や発振回路の動作の切替状態の表示から、本体１２が水没したことを使用者に報知する為の表示に切り替えるようにしても良い。これにより、使用者に本体１２が水没していることを好適に報知する事が可能となる。
【０１０９】
マッサージ器４００によれば、電極１７０、１８０と電極１９０、２００の間には電位差が付与されているため、当該電極１７０〜２００を肌に接触させて、肌に電気的刺激を与えることにより、マッサージ効果を奏する。そして、マッサージ器４００の本体１２が水没した場合には、水没検出部６によって当該水没が検出されて水没検出信号が出力される。そして、制御部３５に水没検出信号が入力されることにより、給電制御部３５３が、給電部３によって電極１７０〜２００間に付与されていた電位差を制御する。これにより、電極１７０〜２００間の電気抵抗が過度に低下しても、当該電極１７０〜２００間に過剰に電流が流れることを抑制できる。その結果、使用者が感電することや、マッサージ器４００内の電子部品等に過剰な負荷がかかることや、大量の電力を無駄に消費することなどの不具合を未然に防止することができる。そのため、浴室などの水没のおそれがある場所で使用する際にも特段の注意を払う必要がなく、使い勝手が良い。
【０１１０】
また、本実施形態では、電極１７０〜２００とは別に水没検出部６が設けられているため、導電性のジェルなどを肌に塗布して使用した場合であっても、当該ジェルによる水没状態の誤検出が抑制されて、当該ジェルを使用する場合においても使い勝手が良い。
【０１１１】
本実施形態のマッサージ器４００に備えられる４つの電極１７０〜２００は、導電性の回転体１７〜２０の表面に形成されている。本体１２の把持部１２２を把持して、各回転体１７〜２０を肌に押し当てながら、図２０及び図２１に示すように矢印Ｐ１（又はＰ２の方向）に、マッサージ器４００を移動させる。先行する一対の回転体１７、１８（又は一対の回転体１９、２０）は移動方向の前方側に向かって広がっているため、先行する一対の回転体１７、１８（又は一対の回転体１９、２０）が内向きに回転して肌が押圧され、マッサージ効果が奏される。一方、後行する一対の回転体１９、２０（又は一対の回転体１７、１８）は移動方向の後方側に向かって広がっているため、後行する一対の回転体１９、２０（又は一対の回転体１７、１８）が内向きに回転して両回転体１９、２０（又は両回転体１７、１８）間において肌が摘み上げられ、マッサージ効果が奏される。つまり、本体１２の一方向（Ｐ１方向又はＰ２方向）への移動によって、肌の同じ部分に対して押圧と摘み上げとの異なったマッサージ効果が得られる。
【０１１２】
また、Ｑ１方向及びＱ２方向にマッサージ器４００を移動させた場合においても、上述のＰ１方向及びＰ２方向の場合と同様に、先行する一対の回転体１７、１９（又は一対の回転体１８、２０）が内向きに回転して肌が押圧し、後行する一対の回転体１９、２０（又は一対の回転体１７、１８）が内向きに回転して肌が摘み上げられ、肌の同じ部分に対して押圧と摘み上げとの異なったマッサージ効果が得られる。
【０１１３】
各対の回転体１７、１８と回転体１９、２０との軸線間隔Ｌ１は、回転体１７、１９と回転体１８、２０との軸線間隔Ｌ２よりも小さくなっている。このため、Ｐ１方向又はＰ２方向にマッサージ器４００を移動させることにより、身体の腕や足首等の曲率が大きくて細い部位を、回転体１７、１８の間及び回転体１９、２０間のそれぞれにおいて、効果的にマッサージすることができる。
【０１１４】
回転体１７〜２０は球状を成している。これにより、回転体１７〜２０を肌に当接させた状態で、回転体１７〜２０をスムーズに回転させることができ、使用感に優れる。また、肌の摘み上げ効果や、揉みほぐし効果を奏することができ、マッサージ効果を一層向上できる。尚、回転体１７〜２０を楕円球状にすることや、球状と楕円球状を組み合わせた形状とすること等も勿論可能である。
【０１１５】
さらに、このマッサージ器４００の使用時には、本体１２内に搭載された電池３１からの電力によって給電装置３３が作動され、その給電装置３３から電極１７０、１８０と電極１９０、２００との間に電位差が与えられる。これにより、その電極１７０〜２００の間の肌に微弱電流が流れて、電気的刺激が与えられる。よって、その電気的刺激と前記揉みほぐしとの協働作用により、良好なマッサージ効果を得ることができる。
【０１１６】
また、回転体１７、１９と回転体１８、２０との間隔Ｍ１よりも、回転体１７、１８と回転体１９、２０との間隔Ｍ２の方が大きい。そして、上述の給電装置３３の作動時には、配置間隔の大きい回転体１７、１８の電極１７０、１８０と回転体１９、２０の電極１９０、２００との間に電位差が与えられる。このため、電極１７０〜２００間の比較的広範囲な肌に電流を流すことができるので、局所的に電流が流れることなく、適度の電気的刺激を得ることができる。しかも、この給電装置３３の作動時には、電気抵抗検出部３４により電極１７０〜２００間の電気抵抗が検出されて、その検出された電気抵抗が所定値以下の場合に、電位差調整部３５２により給電装置３３からの電位差が下げられる。このため、例えば肌が濡れているような電気抵抗が小さい場合においても、肌に電流が流れすぎて、強い電気的刺激が与えられるおそれはない。
【０１１７】
さらに、導電性材料を含む導電性ジェルを肌に塗布して、電極１７０〜２００と肌との間に当該導電性ジェルを介在させることにより、肌に対する導電性を高めることができる。これにより、電極１７０、１８０と電極１９０、２００との間に電位差を確実に与えて、効果的に電気的刺激を肌に与えることができる。特に肌が乾燥状態にある場合にも、当該肌に効果的に電気的刺激を肌に与えることができる。使用される導電性ジェルの種類は特に限定されず、公知のものを使用することができる。例えば、痩身効果を奏する導電性ジェルを使用することができる。これにより、上記マッサージ効果および電気的刺激に加えて、痩身効果を奏することができる。
【０１１８】
本実施形態では、水没検出部６は、本体１２に設けられている。これにより、肌に導電性のジェルを塗布して使用した場合において、当該ジェルが水没検出部６に干渉することが抑制されるため、当該ジェルによる水没状態の誤検知が一層抑制される。そのため、当該ジェルを使用した場合の使い勝手が一層向上する。
【０１１９】
本実施形態では、本体１２は把持可能であるとともに、水没検出部６は本体１２において電極１９０、２００との接続部１３０ｂの近傍に設けられている。これにより、本体１２（把持部１２２）を把持したときに手が水没検出部６に触れることを抑制できる。その結果、水没状態の誤検出を抑制できるとともに、本体１２（把持部１２２）を把持した状態でマッサージ器４００が水没した場合においても水没状態を確実に検出できる。
【０１２０】
図３０（ａ）に示すように、回転体１７の表面には、支持軸１３の軸線１３１に対して傾斜した傾斜軸線１７０ａに垂直な複数の仮想面Ｋによる各断面の輪郭に相当する断面輪郭線１７３が複数形成されている。そして、隣り合う断面輪郭線１７３の間にはそれぞれ環状に形成された帯状面１７２が形成されている。各帯状面１７２は回転体１７の内側に緩やかに窪んでいる。したがって、各帯状面１７２は、傾斜軸線１７０ａの軸線方向に配列しているとともに、断面輪郭線１７３は互いに隣接する帯状面１７２における境界線として視認可能に形成されている。各帯状面１７２において、その幅（すなわち傾斜軸線１７０ａの軸線方向の長さ）は略一定となっている。
【０１２１】
回転体１７は軸線１３１を中心に回転可能となっている。そして、図３０（ａ）〜図３０（ｄ）に示すように、軸線１３１に垂直な方向から見たときの軸線１３１に対する傾斜軸線１７０ａの側方投影傾斜角度θは、回転体１７の回転に伴って変化するように観察される。図３０（ａ）及び図３０（ｃ）に示すように、軸線１３１にして傾斜軸線１７０ａが最も傾斜している状態における側方投影傾斜角度θは、例えば、０°より大きく４５°以下とすることができ、好ましくは５°〜２０°であり、本実施形態では１０°である。
【０１２２】
また、各断面輪郭線１７３は、軸線１３１に垂直な方向から見たときに、回転体１７の回転に伴って、直線状と湾曲線状とを繰り返して観察されることとなる。具体的には、図３０（ａ）に示す状態（すなわち、側方投影傾斜角度θが最大になる状態）では、軸線１３１に対して傾斜した直線状に観察される。そして、回転体１７が回転すると、各断面輪郭線１７３は直線状から徐々に支持軸１３の端部１３ｂ側（本体１２側）に膨らんだ湾曲線状に変化するように観察され、図３０（ｂ）に示す状態（すなわち、側方投影傾斜角度θが最大になる状態から４分の１回転した状態であって、軸線１３１と傾斜軸線１７０ａとが重なっている状態）において端部１３ｂ側に最も膨らんだ湾曲線状に観察される。
【０１２３】
その後、回転体１７がさらに回転すると、各断面輪郭線１７３は湾曲線状から徐々に直線状に変化するように観察され、図３０（ｃ）に示す状態（すなわち、軸線１３１と傾斜軸線１７０ａとが重なっている状態からさらに４分の１回転した状態であって、再び側方投影傾斜角度θが最大になる状態）において軸線１３１に対して図３０（ａ）に示す傾斜方向と反対方向に傾斜した直線状に観察される。その後、回転体１７がさらに回転すると、各断面輪郭線１７３は直線状から徐々に支持軸１３の端部１３ａ側（本体１２と反対側）に膨らんだ湾曲線状に変化するように観察され、図３０（ｄ）に示す状態（すなわち、側方投影傾斜角度θが再度最大になった状態から４分の１回転した状態であって、軸線１３１と傾斜軸線１７０ａとが重なっている状態）において端部１３ａ側に最も膨らんだ湾曲線状に観察される。
【０１２４】
そして、図３０（ｄ）に示す状態から回転体１７がさらに回転すると、各断面輪郭線１７３は湾曲線状から徐々に直線状に変化するように観察され、図３０（ｄ）に示す状態から４分の１回転した状態において、上述の図３０（ａ）に示す状態となり、再度軸線１３１に対して傾斜した直線状に観察される。図２１に示すように、回転体１８、１９、２０にも断面輪郭線１７３と同様の断面輪郭線１８３、１９３、２０３が形成されており、帯状面１７２と同様の帯状面１８２、１９２、２０２が形成されている。回転体１７と同様の態様で回転して同様に観察される。
【０１２５】
このように、回転体１７〜２０の回転に伴って、断面輪郭線１７３が直線状と湾曲線状とを繰り返して観察されるため、使用者は回転体１７〜２０の回転を容易に視認することができる。さらに、回転体１７〜２０の帯状面１７２〜２０２が上述の如く形成されているため、帯状面１７２〜２０２が形成されていない場合（回転体１７〜２０が平滑な面である場合）に比べて、肌の摘み上げ効果や揉みほぐし効果を向上することができる。これに加えて、回転体１７〜２０の回転角度に応じて、回転体１７〜２０と肌との接触状態が変化することとなるため、肌の摘み上げ効果や揉みほぐし効果に若干の緩急がもたらされ、使用感の更なる向上に寄与する。
【０１２６】
また、本実施形態の回転体１７の表面には、支持軸１３の軸線１３１に対して傾斜した傾斜軸線１７０ａに垂直な複数の仮想面Ｋによる各断面の輪郭に相当する断面輪郭線１７３が複数形成され、隣り合う断面輪郭線１７３の間にはそれぞれ環状に形成された帯状面１７２が形成されている。断面輪郭線１７３を軸線１３１と同方向に形成した場合と比較すると、帯状面が継続して使用者の肌と接する事となり、電極１７０と使用者の肌との接触が点接触になってしまうことを好適に防ぐことができる。これにより、継続的に安定した電気的刺激を使用者に与えることが可能となる。
【０１２７】
なお、本実施形態では、複数の帯状面１７２〜２０２を回転体１７〜２０の内側に緩やかに窪んだ形状としたが、これに替えて、図３１（ａ）〜図３１（ｄ）に示す形状とすることもできる。具体的には、図３１（ａ）に示すように、隣り合う断面輪郭線１７３の間の帯状面１７２ａを平面状に形成してもよい。当該帯状面１７２ａは、傾斜軸線１７０ａ（図３０（ａ）参照）を含む断面において直線状となっている。また、図３１（ｂ）に示すように、隣り合う断面輪郭線１７３の間の帯状面１７２ａを平面状に形成するとともに、帯状面１７２ａの隣に位置する帯状面１７２ｂを回転体１７の外側に膨らんだ形状とすることができる。また、図３１（ｃ）に示すように、隣り合う断面輪郭線１７３の間の帯状面１７２ａを平面状に形成するとともに、断面輪郭線１７３に沿って線状溝１７２ｃを形成してもよい。また、図３１（ｄ）に示すように、隣り合う断面輪郭線１７３の間の帯状面１７２ｄは緩やかな湾曲面であって、隣接する帯状面１７２ｄと互いに滑らかにつながっていることによって回転体１７全体として略球状を成しているとともに、断面輪郭線１７３に沿って回転体１７の表面に所定のインクを使用して印刷によって環状の線１７４が形成されていることとしてもよい。
【０１２８】
以上のいずれの場合においても、回転体１７〜２０の回転に伴って、断面輪郭線１７３が直線状と湾曲線状とを繰り返して観察されるため、使用者は回転体１７〜２０の回転を容易に視認することができる。また、印刷により断面輪郭線１７３を形成した図３１（ｄ）に示す場合を除いて、肌の摘み上げ効果や揉みほぐし効果を向上することができるとともに、肌の摘み上げ効果や揉みほぐし効果の緩急をもたらして、使用感の更なる向上を図ることができる。
【０１２９】
また、上記複数の帯状面１７２〜２０２に替えて、らせん状溝を形成してもよい。また、上記複数の帯状面１７２〜２０２の内、一部の帯状面１７２〜２０２に沿って、回転体１７〜２０の形成材料と異なる材料を埋め込んでもよい。埋め込む材料としては、例えば、ゲルマニウム合金やチタン合金などを採用することができる。
【０１３０】
また、上記複数の帯状面１７２〜２０２を設けずに、回転体１７〜２０の表面を平滑な面にしても良い。その場合には、電極１７０〜２００と肌を接触させやすくすることができる。ただ、複数の帯状面１７２〜２０２を形成した場合と比較すると、回転体１７〜２０の回転が分かりづらくなってしまったり、肌の摘み上げ効果が低下してしまったりする。さらには、上記複数の帯状面を回転軸の軸方向に形成するようにしても構わない。
【０１３１】
また、さらには、上記複数の帯状面１７２〜２０２に替えて、三角形の小平面を多数組み合わせたダイヤカットを形成してもよい。また、回転体１７〜２０の表面の一部又は全部に、微細な凹凸からなる梨地面を形成したり、円錐状や円柱状からなる微小突起を形成したりしてもよい。これらの場合には、回転体１７〜２０が平滑な面である場合に比べて、肌の摘み上げ効果や揉みほぐし効果を向上することができる。
【０１３２】
支持軸１３〜１６の軸線に対して少なくとも１個の回転体１７〜２０の中心軸線を偏心させることとしてもよい。この場合には、中心軸線を偏心させた回転体１７〜２０は偏心回転するため、皮膚への当接圧力に強弱をつけることができる。
【０１３３】
なお、第４実施形態では４つの電極１７０〜２００を備えることとしたが、これらに限らず、３つ又は５つ以上の電極を備えていてもよい。
【０１３４】
以上のごとく、本実施形態によれば、肌に電気的刺激を与えて良好なマッサージ効果を得ることができるとともに、水没による不具合の発生を抑制でき、使い勝手の良いマッサージ器４００を提供することができる。
【０１３５】
（第５実施形態）
第５実施形態におけるマッサージ器は、図３２に示すように、第４実施形態の給電制御部３５３（図２８参照）は備えられていない。そして、本実施形態では、当該マッサージ器における水没状態を検出するための制御態様は、以下のようになされる。なお、第４実施形態の場合と同等の構成要素については、同一の符号を付してその説明を省略する。
【０１３６】
まず、第４実施形態の場合と同様にステップＳ１０〜Ｓ１４（図２９参照）が行われる。そして、図２９のステップＳ１４において、マッサージ器が水没状態であると判断された後は、図３３に示すように、水没検出部６０から制御部３５に水没検出信号が出力される（ステップＳ２５）。その後、電気抵抗検出部３４（図３２参照）によって電極１７０〜２００間の電気抵抗を検出し、制御部３５が、当該電気抵抗が所定値以上であるか否かを判断する（ステップＳ２６）。
【０１３７】
ステップＳ２６において、電極１７０〜２００間の電気抵抗が所定値以上でないと判断した場合（ステップＳ２６のＮｏ）は、制御部３５の電位差調整部３５２は給電装置３３に電位差調整信号を出力する（ステップＳ２７）。給電装置３３は電位差調整信号が入力されると、電極１７０〜２００への給電量を低下させ、電極１７０〜２００間の電位差が所定値以下となるように調整する（ステップＳ２８）。その後はステップＳ１１（図２９参照）に戻る。また、ステップＳ２６において、制御部３５が、電極１７０〜２００間の電気抵抗が所定値以上であると判断した場合（ステップＳ２６のＹｅｓ）もステップＳ１１（図２９参照）に戻る。
【０１３８】
これにより、水没状態と判断されると、電極１７０〜２００間の電位差が所定値以下に調整される。その結果、本体１２が水没した場合に電極１７０〜２００間に電流が過剰に流れることが防止される。また、本実施形態においても、第４実施形態の場合と同等の作用効果を奏する。尚、電極１７０〜２００間の電気抵抗が所定値（第１の所定値）、及び、電極１７０〜２００間の電位差の所定値（第２の所定値）は任意の値に設定する事が可能である。例えば、第１の所定値を理論上考えられないような大きな値に、第２の所定値を０Ｖに設定した場合には、第４実施形態と同様に、水没と判定されると、給電装置３３から電極１７０〜２００への給電が停止されることになる。尚、第４実施形態と同様、水没状態が一定時間（例えば１分）継続した場合にスイッチ３３５をオフにするように構成する事も勿論可能である。これにより、電池３１の早期放電が防止される。
【０１３９】
（第６実施形態）
第６実施形態におけるマッサージ器は、図３４に示すように、バイパス回路８０としての表示部５２及び切替部８を備える。また、制御部３５は、第４実施形態の給電制御部３５３（図２８参照）に替えて、切替制御部３５４を備える。切替部８は給電部３（給電装置３３）と電極１７０〜２００とを接続する第１通電経路８１と、給電部３（給電装置３３）と電極１７０〜２００をバイパスするバイパス回路８０とを接続する第２通電経路８２と、を切り替えることができるように構成されている。本実施形態のマッサージ器における水没状態を検出するための制御態様は、以下のようになされる。なお、第４実施形態及び第５実施形態の場合と同等の構成要素については、同一の符号を付してその説明を省略する。
【０１４０】
まず、第４実施形態の場合と同様にステップＳ１０及びＳ１１（図２９参照）が行われる。そして、図３４及び図３５に示すように、ステップＳ１１において、水没センサ６０における一対の水没検出電極６０ａ、６０ｂ間の電気抵抗を検出した後、ステップＳ１２において、一対の水没検出電極６０ａ、６０ｂ間の電気抵抗が所定値以下でないと判断された場合（ステップＳ１２のＮｏ）は、制御部３５が、切替部８において給電装置３３が電極１７０〜２００に接続されているか否かを判断する（ステップＳ３５）。接続されていないと判断した場合（ステップＳ３５のＮｏ）には、制御部３５の切替制御部３５４は、切替部８に第１切替信号を出力する（ステップＳ３６）。切替部８は第１切替信号が入力されると、第１通電経路８１に切り替えて給電装置３３を電極１７０〜２００に接続する（ステップＳ３７）。その後、給電装置３３が電極１７０〜２００に給電するよう制御する（ステップＳ３８）。一方、ステップＳ３５において、給電装置３３が電極１７０〜２００に接続されていると判断した場合（ステップＳ３５のＹｅｓ）にも、ステップＳ３８において給電装置３３が電極１７０〜２００に給電するよう制御する。
【０１４１】
一方、ステップＳ１２において、一対の水没検出電極６０ａ、６０ｂ間の電気抵抗が所定値以下であると判断された場合（ステップＳ１２のＹｅｓ）は、ステップＳ１４において、マッサージ器が水没状態であると判断し、その後、制御部３５に水没検出信号を出力する（ステップＳ３９）。そして、制御部３５は、切替部８において、給電装置３３が電極１７０〜２００に接続されているか否か判断する（ステップＳ４０）。接続されている。一方、ステップＳ４０において、給電装置３３が電極１７０〜２００に接続されていると判断された場合（ステップＳ４０のＹｅｓ）は、制御部３５の切替制御部３５４は切替部８に第２切替信号を出力する（ステップＳ４１）。切替部８は第２切替信号が入力されると第１通電経路８１から第２通電経路８２に切り替えることにより、給電装置３３と電極１７０〜２００との接続を解除して、給電装置３３を表示部５２に接続する（ステップＳ４２）。そして、給電装置３３から給電された表示部５２は、マッサージ器が水没状態であることを表示する（ステップＳ４３）。
【０１４２】
これにより、水没状態と判断されると、電極１７０〜２００への給電が停止されて、表示部５２に給電されるように制御される。その結果、本体１２が水没した場合に電極１７０〜２００間に電流が過剰に流れることが防止される。また、表示部５２において、マッサージ器が水没状態と判定されていることが表示されるため、使用者は電極１７０〜２００間に電流が過剰に流れないように制御された状態であることを容易に認識することができる。そのため、浴槽などに落下させて水没したマッサージ器を躊躇なく拾い上げることができる。また、本実施形態においても、第４実施形態の場合と同等の作用効果を奏する。尚、図３５では、ステップＳ４３の処理が終了後、処理をステップＳ１１（図２９）に戻すようにしているが、ステップＳ４３の処理が終了後、図３５に示す処理を終了させるようにしても良い。その場合、使用者による指示操作が行われない限り、給電装置３３から電極１７０〜２００に対する給電が再開されない。これにより、使用者が意図していない電極１７０〜２００への給電の再開を好適に防ぐことができる。また、一定時間水没検知状態が続いた場合に、スイッチ３３５をオフにするように構成する事も勿論可能である。
【０１４３】
（第７実施形態）
第７実施形態におけるマッサージ器７００を図３６、図３７に示す。なお、第１実施形態〜第６実施形態と同一の部材には同一の符号を付してその説明を省略する。図３６に示すように、マッサージ器７００において本体１２は、第１端部１２ａから第１端部１２ａと反対側の第２端部１２ｂに向かう方向を長手方向Ｙとして、細長い形状をなしている。本体１２に備えられる把持部１２２は、本体１２の第１端部１２ａ側に延びるように形成されている。把持部１２２は平面視で略棒状を成しているとともに、その中央部１２２ａから第１端部１２ａ及び第２端部１２ｂに向かって縮径している。本体１２の第２端部１２ｂ側には、電極１７０〜２００を有する回転体１７〜２０が支持軸１３〜１６を介して回転可能に支持されている。また、図３７に示すように、本体１２の底面において、第２端部１２ｂ側に位置する回転体１７と回転体１８との近傍に水没検出部６としての水没センサ６０が備えられている。
【０１４４】
本実施形態におけるマッサージ器７００によれば、上述の如く形成された把持部１２２が把持されて使用されることにより、例えば顔のように、様々な方向に湾曲する部分に対して、回転体１７〜２０を当該部分の肌に沿わせて移動させる際に、把持部を把持している手の向きを過度に大きく変えたり、手首を過度に大きく捻ったりする必要がない。その結果、使い勝手が良くなり、マッサージ効果を一層向上することができる。なお、本実施形態におけるマッサージ器７００においても、第１実施形態〜第６実施形態と同様に給電装置３３等が備えられており、第１実施形態〜第６実施形態と同等の作用効果を得ることができる。なお、第４実施形態〜第７実施形態では４つの電極１７０〜２００を備えることとしたが、これらに限らず、３つ又は５つ以上の電極を備えていてもよい。
【０１４５】
（参考例）
参考例として図３８に示すマッサージ器９００を開示する。マッサージ器９００は、図３８に示すように、第４実施形態における４つの回転体１７〜２０（図２０参照）に替えて、２つの回転体１７、１８が備えられる。また、第４実施形態における本体１２（図２１参照）に替えて、本体１２０を備える。なお、第４実施形態〜第６実施形態の構成要素と同等の構成要素については、同一の符号を用いてその説明を省略する。
【０１４６】
本参考例のマッサージ器９００では、本体１２０は細長く形成されている。本体１２０の長手方向Ｘの中央部は把持可能に形成された把持部１２０ａを成しており、本体１２０の一端側Ｘ１の端部には枝分かれした分枝部１２０ｂ、１２０ｃを介して２つの回転体１７、１８が設けられている。そして、回転体１７、１８の表面が電極１７０、１８０を形成している。回転体１７、１８は本体１２０の厚さ方向Ｙのうちの下面側Ｙ１に放射状に広がるように延びている。
【０１４７】
把持部１２０ａの上面側Ｙ２には、太陽電池パネル１２０ｄが設置されている。本体１２０の内部にはニッケル水素電池等の充電可能な電池３１（図２８参照）が配設されており、太陽電池パネル１２０ｄで発電された電力が当該電池３１に充電される。また、図３９に示すように、本体１２０の下面側Ｙ１であって、分枝部１２０ｂ、１２０ｃの間には、水没検出部６としての水没センサ６０が設けられている。水没センサ６０の構成は第４実施形態の場合と同様であり、水没状態における制御態様も第４実施形態の場合と同様である。尚、水没センサ６０を回転体１７、１８に配設するようにしても良いし、本体１２０、回転体１７、１８の双方に配設するようにしても良い。
【０１４８】
本参考例のマッサージ器９００においても、第４実施形態において４つの回転体１７〜２０が備えられることによる効果を除いて、第４実施形態の場合と同等の作用効果を奏する。
【０１４９】
なお、本参考例のマッサージ器９００では２つの電極１７０、１８０を備えることとしたが、これらに限らず、３つ以上の電極を備えていてもよい。また、本参考例のマッサージ器９００において水没状態における制御態様を、第４実施形態と同様ではなく、第５実施形態や第６実施形態と同様にすることも勿論可能である。
【０１５０】
なお、上述したマッサージ器４００に設けられた回転体１７〜２０は、この部分のみをマッサージ器用回転体装置として、分離して供給することが可能である。この場合においては、当該マッサージ器用回転体装置を利用することにより、マッサージ効果に優れたマッサージ器を容易に提供することができる。
このマッサージ器用回転体装置を以下に開示する。
（１）  球状、楕円球状、又はこれらを組み合わせた形状からなるとともに、支持軸に回転可能に保持されるように構成されている回転体を備え、
上記回転体の表面には、上記支持軸の軸線に対して傾斜した傾斜軸線に垂直な複数の仮想面による各断面の輪郭に相当する断面輪郭線が形成されていることを特徴とするマッサージ器用回転体装置。
（２）  上記回転体の表面には環状に形成された複数の帯状面が上記傾斜軸線の軸線方向に配列しているとともに、上記断面輪郭線は互いに隣接する上記帯状面における境界線として視認可能に形成されていることを特徴とする（１）に記載のマッサージ器用回転体装置。
【０１５１】
上記（１）に記載のマッサージ器用回転体装置によれば、回転体を肌に当接させた状態で、回転体をスムーズに回転させることができ、使用感に優れる。また、複数のマッサージ器用回転体装置を組み合わせて使用した場合には、一対のマッサージ器用回転体装置間において肌の摘み上げ効果や、揉みほぐし効果を奏することができ、マッサージ効果を一層向上できる。（１）において、球状及び楕円球状とは、厳密な球状及び楕円球状に限らず、概略して球状及び楕円球状の認められる形状や、その表面に若干の凹凸を有する形状などの略球状を含むものとする。
【０１５２】
また、（１）に記載の上記マッサージ器用回転体装置を肌に当接させて回転させると、軸線に対する断面輪郭線が当該回転に応じて変化するように観察されるため、マッサージ器用回転体装置が回転していることを視認しやすくなる。
【０１５３】
上記（２）に記載のマッサージ器用回転体装置によれば、複数の帯状面が境界線としての断面輪郭線が回転体の回転角度に応じて周期的に変化して観察されるため、回転体が回転していることを容易に視認できる。さらに、複数の帯状面が傾斜軸線の軸線方向に配列していることから、回転体の回転に応じて帯状面の向きが周期的に変化するため、複数のマッサージ器用回転体装置を組み合わせて使用した場合には、一対の回転体の間における肌の摘み上げ効果や揉みほぐし効果に強弱が付与されることとなる。その結果、マッサージ効果を一層向上できるとともに、使用者に肌の摘み上げ効果や揉みほぐし効果を効果的に認識させることができ、優れた使用感を得ることができる。
【０１５４】
上記環状に形成された帯状面は、傾斜軸線の軸線方向に隣接する他の帯状面との境界線が視認しやすいように、当該帯状面に隣接する他の帯状面と異なる形状であることが好ましい。例えば、傾斜軸線を含む断面における当該帯状面及びこれに隣接する他の帯状面の形状を直線状とするとともに、傾斜軸線に対する両者の傾斜角度を異ならせるようにすることができる。また、傾斜軸線を含む断面における当該帯状面の形状を直線状にするとともに、これに隣接する他の帯状面の形状を回転体の外側に膨れた湾曲形状又は回転体の内側に窪んだ湾曲形状とすることができる。また、傾斜軸線を含む断面における当該帯状面及びこれに隣接する他の帯状面の形状を回転体の内側に窪んだ湾曲形状とすることができる。これらの場合には、当該帯状面とこれに隣接する他の帯状面の境界線（断面輪郭線）を明確に線状に形成することができる。例えば、帯状面及び断面輪郭線は、図３１（ａ）〜図３１（ｄ）を参照して上述したように、形成することができる。
【図１】
2014189096.tif 000003
【図２】
2014189096.tif 000004
【図３】
2014189096.tif 000005
【図４】
2014189096.tif 000006
【図５】
2014189096.tif 000007
【図６】
2014189096.tif 000008
【図７】
2014189096.tif 000009
【図８】
2014189096.tif 000010
【図９】
2014189096.tif 000011
【図１０】
2014189096.tif 000012
【図１１】
2014189096.tif 000013
【図１２】
2014189096.tif 000014
【図１３】
2014189096.tif 000015
【図１４】
2014189096.tif 000016
【図１５】
2014189096.tif 000017
【図１６】
2014189096.tif 000018
【図１７】
2014189096.tif 000019
【図１８】
2014189096.tif 000020
【図１９】
2014189096.tif 000021
【図２０】
2014189096.tif 000022
【図２１】
2014189096.tif 000023
【図２２】
2014189096.tif 000024
【図２３】
2014189096.tif 000025
【図２４】
2014189096.tif 000026
【図２５】
2014189096.tif 000027
【図２６】
2014189096.tif 000028
【図２７】
2014189096.tif 000029
【図２８】
2014189096.tif 000030
【図２９】
2014189096.tif 000031
【図３０】
2014189096.tif 000032
【図３１】
2014189096.tif 000033
【図３２】
2014189096.tif 000034
【図３３】
2014189096.tif 000035
【図３４】
2014189096.tif 000036
【図３５】
2014189096.tif 000037
【図３６】
2014189096.tif 000038
【図３７】
2014189096.tif 000039
【図３８】
2014189096.tif 000040
【図３９】
2014189096.tif 000041
【国際調査報告】
2014189096.tif 000042
2014189096.tif 000043